【事件の表示】
　特許第２８３０８５１号「カラープラズマディスプレイの駆動方法」の請求項１および２に係る特許に対する特許異議の申立てについて、次のとおり決定する。
【結　論】
　訂正を認める。
　特許第２８３０８５１号の請求項１、２に係る特許を維持する。
【理　由】
１．手続の経緯
　特許第２８３０８５１号の請求項１及び２に係る発明についての出願は、平成８年７月１９日に特許出願され、平成１０年９月２５日に設定登録され、その後、その特許について特許異議申立人　石田保より特許異議の申立てがなされ、取消理由通知がなされ、その指定期間内である平成１１年１１月２４日に訂正請求がなされた後、訂正拒絶理由通知がなされ、その指定期間内である平成１２年４月３日に手続補正がなされ、再度取消理由通知が手交によりなされ、その指定期間内である平成１２年５月３０日に、再度訂正請求がなされるとともに、平成１１年１１月２４日付け訂正請求が取り下げられたものである。
　
２．訂正の適否について
ア．訂正の内容
　平成１２年５月３０日付け訂正請求書にて特許権者が求める訂正の内容は以下のとおりである。
ａ．請求項１の「前記複数の走査電極を順次選択走査しつつ前記複数のデータ電極との間で選択的に書き込み放電を生じせしめる書き込み放電期間と、この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して、走査することを特徴とするカラープラズマディスプレイの駆動方法。」の記載を「前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して走査し、その後、維持放電期間にて維持パルスを印加することを特徴とするメモリ型カラープラズマディスプレイの駆動方法。」と訂正する。
ｂ．請求項２の「奇数番目あるいは偶数番目の走査電極のいずれか一方を１走査時間以上離して順次走査して、もう一方の走査電極の走査を、５走査時間以上の、奇数倍の走査時間以上遅らせたことを特徴とする請求項１記載のカラープラズマディスプレイの駆動方法。」の記載を「表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後、この書き込み放電で書き込まれた放電を維持する維持放電期間とを有し、前記複数の走査電極の書き込み順序として、隣り合う前記走査電極の走査時間を、１走査時間を越える時間以上離して走査するカラープラズマディスプレイの駆動方法において、奇数番目あるいは偶数番目の走査電極のいずれか一方を１走査時間以上離して順次走査して、もう一方の走査電極の走査を、５走査時間以上の、奇数倍の走査時間以上遅らせたことを特徴とするメモリ型カラープラズマディスプレイの駆動方法。」と訂正する。
ｃ．明細書【００３２】の「前記複数の走査電極を順次選択走査しつつ前記複数のデータ電極との間で選択的に書き込み放電を生じせしめる書き込み放電期間と、この書き込み放電で書き込まれた放電を維持する維持放電期間とから成るプラズマディスプレイの駆動方法において、前記複数の走査電極の書き込み順序が隣り合う前記走査電極の走査時間を１走査時間を越える時間以上離して走査することを特徴とする。」の記載を「前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して走査し、その後、維持放電期間にて維持パルスを印加することを特徴とする。」と訂正する。
　
イ．訂正の目的の適否、新規事項の有無及び拡張・変更の存否
　上記ａに関する記載として、「本発明は３電極ＡＣメモリ型プラズマディスプレイに関し」（明細書【０００１】）の記載があり、また、図１には維持電極に印加されるパルス（ａ）、走査電極に印加されるパルス（Ｓ１乃至Ｓ５）、データ電極に印加されるパルス（ｅ）がそれぞれ記載されており、維持電極の電位はデータパルスが印加されている期間中は一定電位であり、かつ、走査パルスが順次発生する書き込み放電期間の終了後に維持放電パルスが印加される維持放電期間となっていることが記載されている。
　したがって、上記ａの訂正は、願書に添付した明細書に記載した事項の範囲内で、各電極に印加されるパルスの形態を実施例に記載された内容となるよう、具体的に限定し、また、本件発明が適用されるプラズマディスプレイのタイプを「メモリ型」に限定したものであるから、特許請求の範囲の減縮である。
　上記ｂの訂正は、訂正前は請求項１の記載を引用する構成を、上記ａによる限定を含めて該引用する構成をそのまま記載したものであるから、特許請求の範囲の減縮、及び明りょうでない記載の釈明である。
　上記ｃの訂正は、特許請求の範囲の訂正にあわせて、対応する発明の詳細な説明の記載を訂正するものであるから明りょうでない記載の釈明である。
　そして、上記ａ乃至ｃの訂正は、新規事項の追加に該当せず、また、実質上特許請求の範囲を拡張し、または変更するものではない。
　
ウ．独立特許要件の判断
Ａ．特許法第３６条について
　上記訂正により、当審が平成１２年４月２７日付け取消理由通知書で指摘した記載不備は解消した。
　
Ｂ．訂正後の本件発明
　訂正明細書の請求項１及び２に係る発明（以下、それぞれ、本件発明１及び２という）は、その特許請求の範囲の請求項１及び２に記載された下記のとおりのものである。
　　　　記　　　　
請求項１
　表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して走査し、その後、維持放電期間にて維持パルスを印加することを特徴とするメモリ型カラープラズマディスプレイの駆動方法。
請求項２
　表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後、この書き込み放電で書き込まれた放電を維持する維持放電期間とを有し、前記複数の走査電極の書き込み順序として、隣り合う前記走査電極の走査時間を、１走査時間を越える時間以上離して走査するカラープラズマディスプレイの駆動方法において、奇数番目あるいは偶数番目の走査電極のいずれか一方を１走査時間以上離して順次走査して、もう一方の走査電極の走査を、５走査時間以上の、奇数倍の走査時間以上遅らせたことを特徴とするメモリ型カラープラズマディスプレイの駆動方法。
　
Ｃ．特許法第２９条第２項について
i)引用刊行物の記載事項
　平成１２年１月１４日付けで当審が通知した訂正拒絶理由通知で引用した刊行物１及び２には下記のとおりの記載がある。
刊行物１：特開平６−　４３８２９号公報
　「図７は交流駆動型プラズマディスプレイ（交流型プラズマ・ディスプレイ・パネル：ＡＣ型ＰＤＰ）の構造を示す図であり、同図(a) はパネルの構造を示す断面図、同図(b) はＭ×Ｎドットのパネル構造（電極構造）を示す図である。ここで、図７ (a)および(b) に示すＡＣ型ＰＤＰは、３電極構造を持った面放電ＡＣ型ＰＤＰを示している。
【０００３】図７(a) において、参照符号１は全面ガラス基板, ２は背面ガラス基板, ３はアドレス電極, ４は壁, ５は壁の間に設けられた蛍光体, ６は誘電体層, ７および８はＸ電極およびＹ電極を示している。このＡＣ型ＰＤＰにおいて、放電は主に背面ガラス基板２上に配置された２本の維持放電電極（Ｘ電極７およびＹ電極８）の間で行われ、また、表示データに応じた画素（放電セル）の選択は、Ｙ電極８とアドレス電極３との間の放電を利用して、該当するＹ電極８を含むライン上のセルを選択して行うようになっている。各維持放電電極(7,8) 上には、絶縁のための誘電体層６が形成され、該誘電体層６上に保護膜であるＭｇＯ膜が形成されている。さらに、背面ガラス基板２と向かい合う前面ガラス基板１には、アドレス電極３および蛍光体５が形成されている。
【０００４】放電空間は、ガラス基板の片側もしくは両側に形成された壁４によって分離され、放電はその中で各セル毎に起こるようになっており、放電によって発生した紫外線が蛍光体を発光させて表示を行うようになっている。このような構成を有するセルを、例えば、マトリクス状に（Ｍ×Ｎ）個だけ配列することにより、図７(b) に示すようなディスプレイパネルが構成される。ここで、図７(b) において、参照符号Ａ1 〜ＡM はアドレス電極３を示し、Ｙ1 〜ＹN はＹ電極８を示している。また、各セルに対するＸ電極７は、共通結線とされている。
【０００５】図８は自己消去アドレス方式のプラズマディスプレイの駆動方法における基本駆動波形の一例を示す図である。同図に示されるように、まず、Ｘ電極に正の書き込みパルス（電圧：Ｖw)が印加されると共に、選択された表示ラインのＹ電極がＧＮＤ電位に保持され、選択されていない表示ラインのＹ電極はＶs レベルに保持されると、選択ラインのＸ電極とＹ電極間に印加される電圧はＶw となり、また、非選択ラインにおいてはＶw −Ｖs となる。ここで、予めＶw ＞Ｖf(放電開始電圧),Ｖf ＞＞Ｖw −Ｖs となるように各電圧を設定しておくことで、選択された表示ラインだけの全てのセルに放電を起こさせることができる。そして、放電が進むにつれて、Ｘ電極上のＭｇＯ膜には負の壁電荷、Ｙ電極上のＭｇＯ膜には正の壁電荷がそれぞれ蓄積される。この壁電荷は、放電空間内の電圧を低減させる極性であるため、この放電は、収束に向かい約１μｓ程度で終結することになる。
【０００６】そこで、次に、Ｖs の電圧をＸ電極とＹ電極との間に交互に逆極性で印加すると、その度毎に、蓄積された壁電荷が電極に印加された電圧に上乗せされ、その実効電圧が放電空間の放電開始電圧（Ｖf)を越えて放電が繰り返される。ここで、消去すべき放電セルに対しては、維持放電の後に、選択されたラインのＸ電極上のＭｇＯ膜上の壁電荷が正、Ｘ電極上のＭｇＯ膜上の壁電荷が負になった後に、放電を中止するセルに対応するアドレス電極に正のパルス（Ｖa)を印加し、そのＹ電極をＧＮＤ電位にする。これにより、そのラインの全セルは維持放電が起こるが、特に、アドレス電極に正のパルスを印加したセルにおいては、アドレス電極とＹ電極間の放電が併発し、Ｙ電極上のＭｇＯ膜上に過剰な壁電荷を蓄積する。この場合、生成された壁電荷自身で放電開始電圧を越えるような値に電圧（Ｖa)を設定しておくと、外部電圧を取り除いた時（Ｘ電極およびＹ電極は共にＶs,アドレス電極はＧＮＤ）、壁電荷自身の電圧による放電が起こり、これが自己消去放電となって壁電荷を消滅させる。また、放電を持続させるセルに対してはアドレスパルスを印加しないため、自己消去放電が起こらず、その後に印加される維持放電パルスにより維持放電を繰り返すことになる。尚、このセルの選択手法を自己消去アドレスと呼ぶ。
【０００７】上述したものが、１ライン毎にライン全セル書き込み、自己消去アドレスを行う線順次駆動の方式である。さらに、従来、全セルの書き込みと、自己消去アドレス、維持放電を、全画面に渡り時間軸上で分離する方式が提案されている。図９は、この自己消去アドレス方式のプラズマディスプレイの駆動方法における基本駆動波形の他の例を示す図である。
【０００８】図９に示されるように、まず、同時に全ライン（＝全画面のセル）の書き込みを行い、維持放電の後、１ライン毎にＹ電極をＧＮＤレベルにして、該当ラインの表示データに応じたアドレスパルスを印加することで、そのラインのセルを自己消去アドレスにより選択する。さらに、次のラインのＹ電極をＧＮＤレベルに選択し、自己消去アドレスを行うことで、始めのラインから終わりのラインまで、自己消去アドレスにより表示のための維持放電を行わないセルの壁電荷を消滅させる。その後、維持パルスを印加することで、壁電荷の残っているセルが維持放電を繰り返す。この方式はスキャンラインが多い場合やフルカラー表示のために多階調駆動を行う場合に利用される（特願平２?３３１５８９号参照）。」（公報【０００２】−【０００８】）
　
刊行物２：特開平４−２１８０９３号公報
　「プラズマディスプレイパネルでは、横方向は障壁を兼ねるスペーサ２４によってセル同士が分離されているが、縦方向はセル同士が空間的に繋がっている。したがって、あるセルが放電すると、励起ガスが拡散して隣りのセルに入り込み影響を与えることになる。このようにセルを障壁によって完全に密閉しないのは、密閉すると点灯セルがなかなか点灯しないターンオン遅れが生じるのを避けるためである」（公報【０００７】）
　「この図６に示したプラズマディスプレイパネルを図４に示した従来の１Ｈ駆動法で駆動する場合を考える。あるＨｓｙｎｃ期間にｍ行の走査側電極を選択した場合、次にＨｓｙｎｃ期間には隣りのｍ＋１行の走査側電極が選択されるため、ｍ行目の放電によって生成された励起ガスが拡散して大量にｍ＋１行目に到達する。この従来の１Ｈ駆動法では、動作マージンが数ボルト程度しかとれず、消灯されるべきセルが点灯するなどの誤灯を起こし易い。」（公報【０００８】）
　「複数の走査側電極と複数のデータ側電極を所定の間隔を保って互いに直交するように配置したマトリクス型プラズマディスプレイパネルの走査側電極を時分割に選択し高周波の駆動パルス電圧を印加すると共にデータ側電極にも高周波パルス電圧を印加するＡＣリフレッシュ型プラズマディスプレイの駆動方法において、走査側電極の駆動パルスを低周波数のアドレスパルスと高周波数のホールドパルスから構成し、走査側電極を選択していく時、隣り合う走査側電極の選択を時間的に離して行なうことを特徴とする。隣り合う走査側電極の選択の時間的間隔は、２水平同期期間から５０水平同期期間の範囲であればよい。好ましい時間的間隔は、４から８水平同期期間である。また、ホールドパルス幅は９０から１１０ｎｓの範囲に選ばれる。」（公報【００１２】）
　「以上述べたように本発明は、隣り合う走査側電極の選択を時間的に離して行なうので、プラズマディスプレイパネルの縦方向に励起イオンが拡散して起こる誤灯を低減できる効果がある。
　　　【００１９】
　この縦方向誤灯はパネルのドットピッチが小さくなる程おこり易く、０．５ｍｍ程度より小さくなると特に問題となるが、１Ｈ駆動に本発明を適用することで動作マージンを１０Ｖ程度大きくすることができた。」（公報【００１８】、【００１９】）
　
ii)対比・判断
　本件発明１及び２と上記刊行物１乃び２に記載の発明とを対比すると、上記いずれの刊行物に記載の発明にも、本件発明１及び２を特定する事項である「維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して走査し、その後、維持放電期間にて維持パルスを印加することを特徴とするメモリ型カラープラズマディスプレイの駆動方法」（本件発明１）、「前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後、この書き込み放電で書き込まれた放電を維持する維持放電期間とを有し、前記複数の走査電極の書き込み順序として、隣り合う前記走査電極の走査時間を、１走査時間を越える時間以上離して走査するカラープラズマディスプレイ」（本件発明２）について記載がない。
　この点について更に詳細に検討すると、上記刊行物１には「維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するメモリ型カラープラズマディスプレイの駆動方法」が、刊行物２には「複数の走査電極の書き込み順序として、隣り合う前記走査電極の走査時間を、１走査時間を越える時間以上離して、走査する」方法がそれぞれ記載されている。
　しかし、刊行物２に記載された方法は、上記刊行物１に記載された「維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するメモリ型カラープラズマディスプレイの駆動方法」とは異なる原理でパルスを印加する「ＡＣリフレッシュ型プラズマディスプレイ」の駆動方法に係るものである。
　すなわち、上記刊行物２のものは、アドレスパルスが印加される期間（書き込み放電期間に相当する）と、ホールドパルスが印加される期間（維持放電期間に相当する）とが時間的に分離されておらず、これらのパルスの両方を時間的に隣り合う行について分離して放電するようにしているが、上記刊行物２に記載された発明を単に書き込み放電期間と維持期間が分離された上記刊行物１に転用したとしても、その書き込み放電期間のみを選択して上記刊行物２に記載された技術思想を転用することが当業者が容易になし得たことであるということはできず、本件発明１及び２が上記刊行物１及び２に記載のものから容易に発明をすることができたものとはいえない。
　
Ｄ．特許法第２９条の２第１項について
i)先願明細書の記載事項
　本件請求項１に係る発明に対して、当審が平成１１年８月２６日付け取消理由通知で引用した先願明細書には下記のとおりの記載がある。
　　　記　　
先願：特願平８−１２３６５８号（特開平９−３１１６６１号公報参照）
　「本発明はプラズマディスプレイパネルの駆動方法及びこの駆動方法を用いた表示装置に関し、特に、メモリ機能を有する表示素子であるセルの集合によって構成されたプラズマディスプレイパネルの駆動方法及びこの駆動方法を用いた表示装置に関する。具体的には、交流駆動型プラズマディスプレイパネルに表示データの書き込みを行う際の駆動方法及びこの駆動方法を用いたプラズマディスプレイ装置に関する。」（明細書【０００１】）
　「次に、アドレス期間において、表示データに応じて、セルのＯＮ又はＯＦＦの制御を行うために線順次でアドレス放電が行われる。このアドレス放電のメカニズムを図１９に示す。まず、Ｙ電極２０８に−ＶＹレベル（具体的には、約−１５０［Ｖ］）のスキャンパルス２１を印加すると共に、アドレス電極２０９中、維持放電を起すセル、則ち、点灯させるセルに対応するアドレス電極２０９に電圧Ｖa （具体的には、約５０［Ｖ］）のアドレスパルスが選択的に印加され、点灯させるセルのアドレス電極２０９とＹ電極２０８の間で放電が起こる（図１９（ａ）参照）。次にこの放電をプライミング（種火）としてＸ電極２０７とＹ電極２０８間の放電に即推移する（図１９（ｂ）参照）。これにより、選択ライン２０２の選択セルのＸ電極２０７とＹ電極２０８上のＭｇＯ膜２０７Ｄ面に維持放電が可能な量の壁電荷２０４が蓄積される（図１９（ｃ）参照）。以下、順次、他の表示ライン２０１についても、同様の動作が行われ、全表示ライン２０１において、新たな表示データの書き込みが行われる。その後、維持放電期間になると、Ｙ電極２０８とＸ電極２０７に交互に、電圧がＶs （約１８０［Ｖ］）からなる維持パルスが印加されて維持放電が行われ、１サブフィールドフィールドの画像表示が行われる。なお、このような「アドレス／維持放分離型・書き込みアドレス方法」においては、維持放電期間の長短、つまり、維持パルス（電圧Ｖs ）の回数によって、輝度が決定される。」（明細書【００１８】）
　「本発明は、このような従来の問題点に着目してなされたもので、非選択時のＸ電極を選択時のＸ電極の電位より低い電位とすることにより、アドレス放電を行うセルから、空間電荷の飛来が少なく、非選択ラインであるにも係わらず放電を行ってしまったり、また壁電荷を蓄積してしまいミス放電を起こしてしまうような事態を回避でき、これによって、セルのピッチが小さく逆スリットが狭いプラズマディスプレイパネルにおいても、安定したアドレス放電を行うことが可能となるプラズマディスプレイパネル駆動方法を提供することを目的としている。
【００３８】　更にこのようなプラズマディスプレイパネル駆動方法を用いることにより、プラズマディスプレイパネルの製造が容易となり、更に高輝度化や高精細化が可能となって、その結果、コストパフォーマンスが高いプラズマディスプレイ装置を提供することを目的としている。」（明細書【００３７】−【００３８】）
　そして、図７にはＸ奇数電極群と、Ｘ偶数電極群に印加されるパルスが記載されており、これをみると、これらの電極群に印加されるパルスはアドレス期間を通じて一定の電圧でないことが見て取れる。
　
ii)対比・判断
　本件発明１と上記先願明細書に記載された発明（以下、先願発明という。）とを対比すると、本件発明１は「前記維持電極群は一定電位を保ち前記複数の走査電極を順次選択走査しつつ前記複数のデータ電極との間で選択的に書き込み放電を生じせしめる書き込み放電期間」であるのに対し、上記先願発明は「アドレス期間（本件発明１の書き込み放電期間に相当する）において、Ｘ電極（本件発明１の維持電極に相当する）に印加されるパルスが一定電位ではない」点で相違し、上記相違する構成は本件出願前周知の技術的事項ということはできないから、上記先願明細書に記載された発明と本件発明１とが同一であるとはいえない。
　
　よって、本件発明１乃び２は当審が通知した取消理由並びに訂正拒絶の理由をいずれも解消しており、特許出願の際独立して特許を受けることができるものである。
　
ウ．むすび
　以上のとおりであるから、上記訂正は、特許法第１２０条の４第２項および同条第３項で準用する第１２６条第２から４項までの規定に適合するので、当該訂正を認める。
　
３．特許異議の申し立てについて
ア．申立の概要
　特許異議申立人　石田保は本件発明の特許に対して、証拠として甲第１及び２号証（当審が訂正拒絶理由で通知した刊行物１及び２とその内容は同じである）を提出し、本件請求項１及び２に係る発明の特許は、特許法第２９条第２項の規定に違反してなされたものであり、または、証拠として甲第３号証（当審が取り消し理由通知書で引用した先願発明に相当する）を提出し、本件請求項１に係る発明の特許は、先願明細書である甲第３号証に記載された発明と同一であると認められ、しかも、本件発明の発明者が上記先願明細書に記載された発明の発明者と同一であるとも、また、本件の出願の時に、その出願人が上記他の出願の出願人と同一であるとも認められないので、本件発明は、特許法第２９条の２第１項の規定に違反してなされたものであるから、上記発明の特許は、特許法第１１３条第１項第２号の規定により取り消されるべきものである旨主張している。
　
イ．判断
ａ．特許法第２９条第２項について
　特許異議申立人石田保が提出した甲第１号証及び甲第２号証には、上記「２．ウ．Ｃ．i」のとおりの記載があり、本件発明１及び２と上記証拠の対比・判断については、上記「２．ウ．Ｃ．ii」に記載したとおりである。
　
ｂ．特許法第２９条の２について
 特許異議申立人石田保が提出した甲第３号証には、上記「２．ウ．Ｄ．i」のとおりの記載があり、本件発明１と上記証拠との対比・判断については、上記「２．ウ．Ｄ．ii」に記載したとおりである。
　
ウ．むすび
　以上のとおりであるから、特許異議申立の理由および、証拠によっては、本件発明の特許を取り消すことはできない。　
　
　また、他に本件発明の特許を取り消すべき理由を発見しない。
　
　よって結論のとおり決定する。　
【異議決定日】
平成１２年６月８日（２０００．６．８）
【訂正の要旨】
訂正の要旨
ａ．請求項１の「前記複数の走査電極を順次選択走査しつつ前記複数のデータ電極との間で選択的に書き込み放電を生じせしめる書き込み放電期間と、この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して、走査することを特徴とするカラープラズマディスプレイの駆動方法。」の記載を、特許請求の範囲の減縮を目的として「前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離して、走査することを特徴とするメモリ型カラープラズマディスプレイの駆動方法。」と訂正する。
ｂ．請求項２の「奇数番目あるいは偶数番目の走査電極のいずれか一方を１走査時間以上離して順次走査して、もう一方の走査電極の走査を、５走査時間以上の、奇数倍の走査時間以上遅らせたことを特徴とする請求項１記載のカラープラズマディスプレイの駆動方法。」の記載を、特許請求の範囲の減縮を目的として「表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間とを有し、前記複数の走査電極の書き込み順序として、隣り合う前記走査電極の走査時間を、１走査時間を越える時間以上離して走査するカラープラズマディスプレイの駆動方法において、奇数番目あるいは偶数番目の走査電極のいずれか一方を１走査時間以上離して順次走査して、もう一方の走査電極の走査を、５走査時間以上の、奇数倍の走査時間以上遅らせたことを特徴とするメモリ型カラープラズマディスプレイの駆動方法。」と訂正する。
ｃ．明細書【００３２】の「前記複数の走査電極を順次選択走査しつつ前記複数のデータ電極との間で選択的に書き込み放電を生じせしめる書き込み放電期間と、この書き込み放電で書き込まれた放電を維持する維持放電期間とから成るプラズマディスプレイの駆動方法において、前記複数の走査電極の書き込み順序が隣り合う前記走査電極の走査時間を１走査時間を越える時間以上離して走査することを特徴とする。」の記載を、明りょうでない記載の釈明を目的として「前記維持電極群は一定電位を保ち前記複数の走査電極を順次選択走査しつつ前記複数のデータ電極との間で選択的に書き込み放電を生じせしめる書き込み放電期間と、該書き込み放電期間が終了した後この書き込み放電で書き込まれた放電を維持する維持放電期間と、を有するプラズマディスプレイの駆動方法において、前記複数の走査電極の書き込み順序として、隣り合う前記走査電極の走査時間を、１走査時間を越える時間以上離し、その後、維持放電期間にて維持パルスを印加することを特徴とする。」と訂正する。
（５４）【発明の名称】
カラープラズマディスプレイの駆動方法
（５７）【特許請求の範囲】
　【請求項１】表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、
前記維持電極群は一定電位を保ち
該書き込み放電期間が終了した後
メモリ型
　【請求項２】表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、
前記維持電極群は一定電位を保ち
該書き込み放電期間が終了した後
メモリ型
　【請求項３】表示放電画素の走査ラインに対応する複数の走査電極および前記表示放電画素の放電維持用の複数の維持電極とで電極対を形成し、かつ前記走査電極群および維持電極群と直交する表示データの供給用の複数のデータ電極から成るデータ電極群とを備え、前記走査電極群および前記維持電極群と前記データ電極群とで形成される放電画素にガスを充填して構成され、前記複数の走査電極を順次選択走査しつつ複数のデータ電極との間で選択的に書き込み放電を生じせしめる書き込み放電期間と、この書き込み放電で書き込まれた放電を維持する維持放電期間と、を有し、且つ隣り合う前記走査電極の走査時間を１走査時間を越える時間離して走査し、前記奇数番目あるいは偶数番目のいずれか一方の走査電極を走査した後、他の一方の前記走査電極を走査し、奇数番目（偶数番目）の走査電極に対応する画素にのみ予備放電を発生させ、奇数番目（偶数番目）の走査電極を走査して書き込み放電を発生させた後、奇数番目（偶数番目）の画素のみで維持放電を一回以上発生させると同時に、偶数番目（奇数番目）の走査電極に対応する画素にのみ予備放電を発生させた後、偶数番目（奇数番目）の走査電極を走査して書き込み放電を発生させ、続いて、偶数番目（奇数番目）の画素のみで維持放電を一回以上発生させて全画素の表示データを書き込み、この書き込まれたデータに従って維持放電を偶数番目、奇数番目の画素を同時に発生させる、ことを特徴とするカラープラズマディスプレイの駆動方法。
【発明の詳細な説明】
　【０００１】
　【発明の属する技術分野】本発明は３電極ＡＣメモリ型プラズマディスプレイに関し、特に動作マージンを広げ安定に動作させ、装置の高輝度化及び高精細化に好適とされるカラープラズマディスプレイの駆動方法に関する。
　【０００２】
　【従来の技術】プラズマディスプレイは、平面型の表示装置の一つで大型の壁掛けＴＶを実現することができる表示装置として期待されている。このプラズマディスプレイは、表示画素に対応する放電セルを選択的に放電させ、発光する紫外線で蛍光体を励起して赤、緑、青の三原色を得てカラー表示を実現するものである。
　【０００３】そして、このプラズマディスプレイには、放電空間に電極が露出したＤＣ型のプラズマディスプレイと、放電空間から電極が隔離されたＡＣ型（交流型）のプラズマディスプレイがある。上述の如く、放電空間から電極が隔離されていることから、ＡＣ型のプラズマディスプレイは、一般に、長寿命であることが知られている。
　【０００４】この交流型プラズマディスプレイにも、電極が対向して構成される対向型プラズマディスプレイと、同一基板上に並行する電極を配して構成される面放電型プラズマディスプレイと、がある。このうち、面放電型プラズマディスプレイはメモリマージンが広く大画面表示に適している。
　【０００５】この面放電型プラズマディスプレイのうち、並行する面放電電極対と、これに直交するデータ電極で構成された３電極ＡＣメモリ型プラズマディスプレイは、長寿命且つ高効率の大型のカラー表示に最も適したプラズマディスプレイであるとされている。
　【０００６】図４は、メモリ機能を有する３電極ＡＣメモリ型プラズマディスプレイの従来の構成の一例の断面を模式的に示したものである。この構成の従来の３電極ＡＣメモリ型プラズマディスプレイとしては、例えば特開平４−３３２４３０号公報の記載が参照される。
　【０００７】図４を参照して、従来の３電極ＡＣメモリ型プラズマディスプレイは、第１絶縁透明基板１、第２絶縁基板２、走査電極３、維持電極４、データ電極５、絶縁層６、７、保護層８、蛍光体９、及び不図示の隔壁から構成されている。なお、１１は放電空間、１２は画素を示している。図４には、不図示のストライプ状の隔壁が、走査電極３及び維持電極４に直交して、画素を分離し、且つ第１絶縁基板１、第２絶縁基板２の間隙を確保するように形成されている。
　【０００８】この従来の３電極ＡＣメモリ型プラズマディスプレイをより詳細に説明すると、第１絶縁基板１と第２絶縁基板２は、ソーダガラス板を用いている。第１絶縁基板１上には、透明な走査電極３と、透明な維持電極４と、が０．５μｍ程度のネサ膜あるいはＩＴＯ（Ｉｎｄｉｕｍ　Ｔｉｎ　Ｏｘｉｄｅ）膜で形成してある。電極の形成は、ネサ膜が化学気相成長法、ＩＴＯ膜がスパッタ等一般的な形成方法によっている。
　【０００９】この走査電極３と維持電極４は絶縁層６で被覆している。絶縁層６は、低融点鉛ガラス粉末を有機バインダーとともに混練してペースト状にして印刷、焼成することにより形成している。ここで、絶縁層６は、第１絶縁体基板１上に透明な層で形成され、絶縁層７は第２絶縁体基板２上に酸化チタン等を混合した白色反射層で形成し、第１絶縁体基板１側から発光を効率良く取り出せる構造としている。
　【００１０】データ電極５は、銀ペーストをストライプ状に印刷、焼成あるいはベタ状に印刷、焼成したものをフォトリソグラフィーを用いてパターン化している。
　【００１１】保護層８は、第１絶縁体基板１上の絶縁層６を被覆するように酸化マグネシウムを蒸着している。
　【００１２】また、蛍光体９は厚膜印刷技術を用いて、赤、緑、青色それぞれの蛍光体ペーストをストライプ状に隔壁に沿って塗りこんだ後、焼成して形成する。
　【００１３】このプラズマディスプレイは、走査電極３とデータ電極５との間で表示データに従って発光させる画素にのみ書き込み放電を生じさせて、壁電荷を走査電極３側の絶縁層６上に形成して、この情報を基に走査電極３と維持電極４との間で放電を維持して所望の発光を得ている。表示は、維持放電４により生じた真空紫外光で、赤、緑、青色蛍光体９を選択的に励起して発光させることにより、行っている。
　【００１４】図７に、図４に示した従来の交流放電メモリ型ＡＣプラズマディスプレイの駆動装置をブロック図にて示す。図７を参照して、駆動装置は、プラズマディスプレイパネル１３、データドライバ１４、維持ドライバ１５、走査ドライバ１６、走査パルス発生回路１７、インタフェイス回路１８、データ電源１９、維持電源２０、走査電源２１、及びプライミング電源２２を備えて構成されている。
　【００１５】装置外部からの表示データ及び制御信号はインタフェイス回路１８で適当に変換され、データドライバ１４、維持ドライバ１５、走査ドライバ１６に供給されている。また、走査電極３に印加される予備放電パルス、走査パルス、維持パルスＢは、走査パルス発生器１７にて発生され、走査ドライバ１６でインタフェイス回路１８の信号によりタイミングが制御されている。
　【００１６】同様に、前述の維持電極４に印加される予備放電パルス、維持パルスＡは、維持ドライバ１５でインタフェイス回路１８により制御して発生させている。
　【００１７】予備放電パルス、維持放電パルスＡ、Ｂは、走査電極３、維持電極４に共通に印加するので、そのドライバは、高耐圧、大電力で、且つオン抵抗の低いＦＥＴを用いてディスクリートの回路で構成される。
　【００１８】一方、走査パルスは、各走査電極３に、それぞれ異なるタイミングで印加する必要から回路数が走査電極３の本数だけ必要となる。このため、高耐圧のＩＣを用いてダイオードで重畳して走査電極３に印加している。
　【００１９】また、データパルスもデータ電極５それぞれに、表示データに従って独立に印加する必要があることからデータドライバ１４として高耐圧ＩＣを用いている。ここで、高耐圧ＩＣを用いたのは、走査電極３、データ電極５それぞれを独立して駆動するため、多数の回路が必要であること、及び比較的出力電流が小さいことから、集積化が可能であり駆動回路の低価格化が図れるためである。
　【００２０】このプラズマディスプレイの駆動方法を、図５、及び図６を参照して説明する。
　【００２１】図５に示した駆動方法は、サブフィールド法といわれるものである。図５では、８枚のサブフィールドを用いて２５６階調を表示する場合を例として示している。１／６０秒に１枚の割合で切り替わる画像（１フィールド）を８分割したサブフィールドＳＦ１〜ＳＦ８の重ね合わせで表す方法である．サブフィールドＳＦ１〜ＳＦ８のそれぞれは、表示の明るさを２ｎで異ならせて有るので、適当な組み合わせで所望の輝度を得ることができる。
　【００２２】この方法においては、各サブフィールドは、予備放電（プライミング）期間、書き込み放電期間、維持放電期間に分かれている。
　【００２３】予備放電期間は、走査電極３と維持電極４との間に予備放電パルスを印加して放電放電を起こし、放電空間に電子等の荷電粒子を発生させるとともに、画素内の電極上の壁電荷を一定量に制御して、書き込み期間の放電を安定化にする働きがある。
　【００２４】書き込み放電期間は、前述のように、全ての走査電極３を各サブフィールド毎に順次走査パルスを印加して走査し、データ電極５との間で表示データに従って印加されるデータパルスとによって、書き込み放電を発生させ、走査電極３上に壁電荷として表示データを書き込む働きがある。
　【００２５】また、維持放電期間は、書き込まれた壁電荷に従って走査電極３に、図６の（ｂ）、（ｃ）、（ｄ）で示す維持パルスＢを印加し、併せて維持電極４に、図６の（ａ）の維持パルスＡを印加して放電を発生させ、これを維持して所望の表示を実現する働きがある。
　【００２６】
　【発明が解決しようとする課題】以上の従来の駆動方法により、同一表示領域で表示容量を増大させ、特に、走査電極数（垂直方向の画素数と対応する）を増加させ、高精細な表示を実現しようとすると、前述の構造を有するプラズマディスプレイでは画素間の間隙が小さくなり、画素間の放電の結合が強まって隣接画素からの荷電粒子の拡散や易動等により、本来は非選択の画素が誤って点灯する、ということが生じる。
　【００２７】また、前述の従来の駆動方法により、前述の構造を有するプラズマディスプレイの輝度を増加させるために、走査電極３、維持電極４の電極幅を広げると、上述と同様に、画素間の間隙が小さくなり、画素間の放電の結合が強まって、隣接画素からの荷電粒子の拡散や易動等により、本来は非選択の画素が誤って放電し発光することがあった。この誤点灯の発生が、動作マージンを圧迫し、高精細化や高輝度化の妨げとなっていた。
　【００２８】この問題点を解消するための手法として、画素周囲を隔壁で取り囲み画素間の放電の結合を断つ方法もあるが、この方法の場合、隔壁構造が複雑となり、高精細なプラズマディスプレイには不向きであること、また放電空間の排気コンダクタンスが小さくなり、放電空間内部を清浄な真空容器として製造することが困難である等の問題点があった。
　【００２９】なお、本発明とその目的及び構成は相違しているが、カラープラズマディスプレイの駆動方法としては、例えば特開平６−４３８２９号公報には、アドレス回数を削減し、余った時間を利用して、サブフィールド数を増やし、階調数を上げ、より多くのラインスキャンを行って大画面パネルの駆動を可能とし、維持放電の回数を増やして輝度上げ、各駆動サイクルを増やして安定した動作を行う駆動方法を提供することを目的として、全画面における表示データの書き込みを、該表示データに応じて維持放電に必要な壁電荷を形成することにより行うアドレス期間と、発光のための維持放電を繰り返して行う維持放電期間とを分離してプラズマデイスプレイを駆動し、維持放電期間における表示データに応じた維持放電と、アドレス期間における表示データに応じた壁電荷形成のための順次駆動とを、１ライン毎に飛び越しで駆動するようにした方法が提案されている。すなわち、この駆動方法においては、アドレス（表示データの書き込み放電）の回数を削減して、余った時間を利用して階調数の増加、大画面化、高輝度化を図るべく、１フレームを、第１、第２の２フレームに分割し、１ライン（１走査ライン）毎に飛び越しで駆動するようにしたものである。
　【００３０】また、特開平７−１９１６２７号公報には、プラズマディスプレイパネルの書き込み放電及び維持放電の、走査ライン毎の特性差を軽減し、動作マージンの軽減を図る駆動方法を提供することを目的として、第１の数の走査電極からなる走査電極群を備え、走査電極毎に時分割な表示選択用の書き込み放電期間と、書き込み放電期間の表示選択に従って維持放電する維持放電期間と、書き込み放電以前に位置する予備放電期間を有するプラズマディスプレイパネルの駆動方法において、走査電極全てに同時に連続した予備放電パルス及び予備放電消去パルスを印加しておき、第１の数をＮ分割した走査電極毎の書き込み放電期間の終了後に第１の維持放電期間を設け、最終の走査電極群の第１の維持放電期間終了後に全走査電極群に共通の第２の維持放電期間を設けるようにした駆動方法が提案されている。この駆動方法は、プラズマディスプレイを複数の走査ブロックに分割して、プラズマディスプレイの書き込み動作の安定化を図ったものであり、予備放電、書き込み放電、維持放電のシーケンスの内ブロック化することにより、予備放電から書き込み放電完了までの期間を短縮するものである。
　【００３１】したがって、本発明は、上記事情に鑑みてなされたものであって、その目的は、プラズマディスプレイの高精細化、高輝度化の妨げとなっていた誤点灯を回避すると共に、更に、高速化も達成可能としたカラープラズマディスプレイの駆動方法を提供することにある。
　【００３２】
　【課題を解決するための手段】前記目的を達成するため、本発明は、表示放電画素の走査ラインに対応する複数の走査電極と、前記表示放電画素の放電維持用の複数の維持電極とで電極対を形成し、前記複走査電極群および前記維持電極群と直交する表示データの供給用の複数のデータ電極から成るデータ電極群と、を備え、前記走査電極群および前記維持電極群と前記データ電極群とで形成される放電画素にガスを充填して構成され、
前記維持電極群は一定電位を保ち
該書き込み放電期間が終了した後
　【００３３】また本発明においては、奇数番目あるいは偶数番目の走査電極のいずれか一方を１走査時間以上離して順次走査して、もう一方の走査電極の走査を５走査時間以上の、奇数倍の走査時間以上遅らせたことを特徴とする。
　【００３４】本発明は、表示放電画素の走査ラインに対応する複数の走査電極および前記表示放電画素の放電維持用の複数の維持電極とで電極対を形成し、かつ前記走査電極群および維持電極群と直交する表示データの供給用の複数のデータ電極から成るデータ電極群とを備え、前記走査電極群および前記維持電極群と前記データ電極群とで形成される放電画素にガスを充填して構成され、前記複数の走査電極を順次選択走査しつつ複数のデータ電極との間で選択的に書き込み放電を生じせしめる書き込み放電期間と、この書き込み放電で書き込まれた放電を維持する維持放電期間とから成り、且つ隣り合う前記走査電極の走査時間を１走査時間を越える時間離して走査することをプラズマディスプレイの駆動方法において、前記奇数番目、あるいは、偶数番目のどちらか一方の走査電極を走査した後、他の一方の前記走査電極を走査し、奇数番目（偶数番目）の走査電極に対応する画素にのみ予備放電を発生させ、奇数番目（偶数番目）の走査電極を走査して書き込み放電を発生させた後、奇数番目（偶数番目）の画素のみで維持放電を一回以上発生させると同時に偶数番目（奇数番目）の走査電極に対応する画素にのみ予備放電を発生させた後、偶数番目（奇数番目）の走査電極を走査して書き込み放電を発生させ、続いて、偶数番目（奇数番目）の画素のみで維持放電を一回以上発生させて全画素の表示データを書き込み、この書き込まれたデータに従って維持放電を偶数番目、奇数番目の画素を同時に発生させる、ことを特徴とする。
　【００３５】本発明は、従来の構造のプラズマディスプレイにおいて、高精細化、高輝度化する際に妨げとなる誤点灯の発生が、画素間の結合であることに着目してなされたものであって、隔壁構造による画素の結合を断つ手段とは異なる手段で、かつ隔壁構造による手法の欠点を回避する方法を提供するものである。
　【００３６】本発明は、前述の走査電極を走査して書き込み放電期間に生じさせる書き込み放電を、隣接画素で連続して行わないようなカラープラズマディスプレイの駆動方法を用いることにより、前述の表示放電画素間の結合を断つことができた。この結果、画素周囲を隔壁で取り囲み画素間の放電の結合を抑える構造としなくても、誤点灯を防止でき、プラズマディスプレイの高精細化、高輝度化を実現することができる。
　【００３７】
　【発明の実施の形態】本発明の実施の形態について図面を参照して以下に説明する。図３は、本発明の実施の形態に係るプラズマディスプレイの駆動部のブロック図を示す。図３において、図７に示した要素と同等の機能を有する要素には同一の参照符号が付されている。
　【００３８】図３を参照して、本発明の実施の形態が、図７に示した、従来の駆動部の構成と異なる点は、走査ドライバ１６を奇数番目、偶数番目の走査電極に対応させて２系統１６ａ、１６ｂに分割し、更に、インタフェイス回路１８の内部にメモリ２３を設け、表示データの並べ換え機能を持たせたことである。
　【００３９】すなわち、本発明の実施の形態では、後述する、図１の（Ｓ１）、（Ｓ２）、（Ｓ３）、（Ｓ４）、（Ｓ５）のように走査パルスの走査順序に入れ替えた駆動方法を採っているので、この走査順に対応させて、図１の（ｅ）に示すように、データパルスの順序を走査電極の従来の走査順に対応した順序１、２、３、…、ｎから、１、ｎ−２、３、ｎ、５、２、７、４、…の順序に変換している。ここで、ｎは走査電極数である。
　【００４０】この回路の変更は、高圧ドライバ回路の回路数、耐電圧等の変更が無く、論理回路部のみの変更でよい。このため、装置原価の若干の上昇で、高輝度化、高精細化が実現できる。
　【００４１】本発明の実施の形態を、以下に具体的な実施例に基づき説明する。図１に、本発明の第１の実施例のタイミングチャートを示す。図１は、サブフィールドの予備放電期間、書き込み放電期間、維持放電期間について示したものである。
　【００４２】本発明の第１の実施例では、走査電極３及びデータ電極５に印加する走査パルス及びデータパルスの印加タイミングを従来の駆動方法と異ならせている。すなわち、奇数番目の走査電極Ｓ１、Ｓ３、Ｓ５、…に印加する走査パルスを、１走査時間おきに印加する（全走査電極を順次走査する際の奇数番目の電極の状態と同一）。この状態で、偶数番目の走査電極を全て４走査時間遅らせて走査する（１本前の奇数番目の走査パルスから５走査時間遅らせる）。
　【００４３】この方法で走査すると、走査電極数を４８０本とすると走査電極は、Ｓ１、Ｓ４７８、Ｓ３、Ｓ４８０、Ｓ５、Ｓ２、Ｓ７、Ｓ４、…の順に走査される。またもう一つの走査として、Ｓ１、休止、Ｓ３、休止、Ｓ５、Ｓ２、…、Ｓ４７９、Ｓ４７６、休止、Ｓ４７８、休止、Ｓ４８０の順に走査される。
　【００４４】但し、この走査順によると、休止期間だけ走査に要する時間が長くなる。この走査順に、一対一に対応させてデータパルス順を変換して印加し表示を得る。
　【００４５】以上の駆動方法を採ると、隣接画素が連続して走査されることが無い。このため、書き込み放電で発生した荷電粒子の分散、移動等より、隣接画素へ移動した荷電粒子が再結合等で減衰し、誤った書き込み放電が発生しなくなり、従来の方法で問題となっていた隣接画素の誤点灯を防止することができる。
　【００４６】このように、隣接画素が連続して走査されることの無い走査方法を実現する駆動回路は、表示データをメモリに収納した後、走査順に対応させてデータを並び換える必要がある。
　【００４７】第１の実施例においては、データを５走査分遅延させることにより実現しているため、ラインバッファを用いれば良く回路コストを抑えることができた。
　【００４８】次に、本発明の第２の実施例について説明する。この方法は、まず奇数番目の走査電極Ｓ１、Ｓ３、Ｓ５、…と走査し、続いて偶数番目の走査電極Ｓ２、Ｓ４、Ｓ６、…と走査するものである。原理的には第１の実施例と同一で、全く同一の効果が得られる。
　【００４９】更に、本実施例によると、一本おきに全表示データの半分を書き込み、続いて書き込まれたデータの間を埋めるようにデータを書き込んで行くため以下の効果が認められた。
　【００５０】これに対して従来の方法によると、予備放電により発生したプライミング粒子は再結合等で時間とともに減衰する。更に、書き込み放電で形成された荷電粒子が書き込み放電終了から維持放電期間までの間で時間とともに減衰する。このため、高精細化のために表示容量を増大させると、予備放電から書き込み放電、更に書き込み放電から維持放電までの時間が長くなり、上述のプライミング粒子、荷電粒子の減衰のために、予備放電から時間的に離れた書き込み放電の発生が不安定となり、更に書き込み放電が維持放電に移り難くなることが知られており、高精細化のための書き込み動作の高速化、安定化を妨げていた。
　【００５１】本発明の第２の実施例は、前述の第１の実施例とはデータを書き込む際の走査方法のみが異なったものであり、奇数番目の走査電極のみを全画面分、まず書き込むため、予備放電から従来の駆動方法の半分の時間で全画面の半分の書き込みが終了する。従って、この奇数番目の画素は、従来の駆動方法よりも安定に書き込み動作が完了する。続いて、偶数番目の画素が書き込まれる。この偶数番目の画素の書き込み動作は、従来よりも部分的には不安定になる場合があるが、全体動作は変わらない。このため、画面全体を再現性の観点からみると、安定な一本おきの書き込み動作が確保されるため、視覚的には（画質上）、従来の駆動方法に比較して安定性及び高速性の面で改善が認められた。
　【００５２】本発明の第３の実施例として、前記第２の実施例の書き込み動作安定性を更に改良した例を、図２を参照して説明する。図２において、走査電極数が４８０本の場合を例にとり、サブフィールドの一つを示している。
　【００５３】本実施例においても、前記第２の実施例と同様に、最初に奇数番目の走査電極、続いて偶数番目の走査電極を走査する。本実施例の特徴は、まず最初に奇数番目の画素にのみ予備放電を発生させた後、奇数番目の走査電極Ｓ１、Ｓ３、Ｓ５、…、Ｓ４７９の走査を完了させて、引き続き奇数番目の画素のみ一度以上維持放電を起こし、壁電荷を奇数番目の画素の走査電極３と維持電極４上に形成させる第１維持期間を設ける。
　【００５４】これと同時に、偶数番目の画素にのみ予備放電を起こす。この後、偶数番目の走査電極Ｓ２、Ｓ４、Ｓ６、…、Ｓ４８０の走査を完了させて、同様に、第１維持期間を設ける。
　【００５５】以上のようにして、奇数番目、偶数番目の走査電極全てにデータを書き込んだ後、維持放電を発生させて表示する。
　【００５６】この方法によると、偶数番目の画素の予備放電から書き込み放電までの時間が奇数番目の画素の場合と同一となり、書き込み動作が安定した。
　【００５７】更に、第１維持期間で走査電極と維持電極に確実に壁電荷を形成するので、書き込み安定性が画素全体で向上し、且つ高速化も図ることができる。
　【００５８】従来の駆動方法では、一走査時間が２〜４μＳで５００本程度の走査が限度であったが、本実施例によると、一走査時間を半減程度の１〜２μＳにすることができ、１０００本程度の走査が可能となった。
　【００５９】以上、本発明は上記各実施例にのみ限定されるものでなく、隣接画素を連続して走査することを回避する組み合わせとした本発明の原理に準ずる各種形態・変形を含むことは勿論である。
　【００６０】
　【発明の効果】以上説明したように、本発明のプラズマディスプレイは、前述の走査電極を走査して書き込み放電期間に生じさせる書き込み放電を、隣接画素で時間的に連続して生じさせることを避けることにより、表示放電画素間の結合を断つことができ、この結果、特別な構造を採用しなくても、プラズマディスプレイの高精細化、高輝度化の妨げとなっていた誤点灯を回避することができるという、効果を有する。更に、本発明によれば、高速化も実現することができ、例えば走査時間１〜２μＳが可能とされ、従来の２倍の１０００本程度の走査を可能としている。
　【００６１】しかも、本発明によるカラープラズマディスプレイの駆動方法は、従来の駆動回路の高電圧回路部分に殆ど変更を必要としないため、価格の上昇を抑止している。
【図面の簡単な説明】
　【図１】本発明の第１の実施例に係るプラズマディスプレイの動作を説明するためのタイムチャートである。
　【図２】本発明の第２の実施例に係るプラズマディスプレイの動作を説明するためのタイムチャートである。
　【図３】本発明の実施の形態を説明するための図であり、駆動部のブロック図である。
　【図４】従来のプラズマディスプレイの構成例を説明するための断面図である。
　【図５】カラープラズマディスプレイの従来の駆動方法の波形の一例を示すタイムチャートである。
　【図６】カラープラズマディスプレイの従来の駆動方法の波形の一例のサブフィールド法を示すタイムチャートである。
　【図７】従来のプラズマディスプレイの駆動部の一例を示すブロック図である。
　【符号の説明】
１　第１絶縁基板
２　第２絶縁基板
３　走査電極
４　維持電極
５　データ電極
６　透明絶縁層
７　絶縁層
８　保護層
９　蛍光体層
１１　放電空間
１２　画素
１３　プラズマディスプレイパネル
１４　データドライバ
１５　維持ドライバ
１６ａ　１走査ドライバ
１６ｂ　第２走査ドライバ
１７　走査パルス発生回路
１８　インタフェイス回路
１９　データ電源
２０　維持電源
２１　走査電源
２２　プライミング電源
２３　メモリ